(57)【要約】【課題】従来の飲料用容器にペルチェ素子により加熱または冷却された空気を吹き付ける方式は空気を循環させる必要があり飲料用容器が小さい、または、形状が異なる飲料用容器においては、外気が侵入し易く効率良く保温することが困難であった。【解決手段】冷却・加熱プレート１と伝熱プレート２からなるケース９内にプラスチックフィルムで作られた二重構造の袋で、その袋と袋の空隙の一部に空気が入らないように水または腐敗防止として塩水等の液体またはゲル状の熱伝達物質５を密封し対流による熱伝達を目的とした伝熱袋３を入れ、伝熱袋３の中に飲料用容器４を入れることによって、伝熱袋３が冷却・加熱プレート１、伝熱プレート２と飲料用容器４に接触する構造とし熱伝達性能を高めた。【選択図】  図１
2004212029.tif 000002
【特許請求の範囲】
【請求項１】
冷却・加熱プレート１と伝熱プレート２からなるケース９と、飲料用容器４との間に、内側の袋内に飲料用容器４を挿入できる構造をしたプラスチックフィルムで作られた二重構造の袋で、その袋と袋の空隙の一部に空気が入らないように液状またはゲル状の熱伝達物質５を密封し伝熱袋３とし、伝熱袋３が冷却・加熱プレート１、伝熱プレート２と飲料用容器４に接触する構造に加え、伝熱袋３を、ケース９との勘合部で伝熱袋固定枠１１により着脱自在にすることを特徴とする電子冷却・加熱器。
【請求項２】
請求項１の熱伝達物質５の中に、粉末状の金属１２を混ぜる構造の電子冷却・加熱器。
【請求項３】
請求項１の熱伝達物質５の中に、金属の短冊状板１３を入れる構造の電子冷却・加熱器。
【請求項４】
請求項１の伝熱袋３を構成するプラスチックフィルムの表面にアルミニウム等の金属をラミネートする構造の電子冷却・加熱器。
【請求項５】
請求項１の伝熱袋３の中にケース９の内側形状に倣い、かつ袋内の熱伝達物質５が容易に移動できるように、多数の穴を持った補強ケース１４を有する電子冷却・加熱器。
【請求項６】
請求項１の冷却・加熱プレート１と伝熱プレート２からなるケース９との間に伝熱袋３を入れ、外気の侵入を低減させることにより蓋を不要とする構造の電子冷却・加熱器。
【発明の詳細な説明】
【０００１】
【発明の属する技術分野】本発明は飲料物の冷却・保温・加熱を行なう電子冷却・加熱器に関する。
【０００２】
【従来の技術】飲料用容器入りの飲料を保温、保冷する場合、特開２００１−２０８４６５号に開示されている様に、ペルチェ素子の熱を風に乗せて飲料用容器に吹き付けることにより保温、保冷する保温保冷器が知られている。
【０００３】
【発明が解決しようとする課題】従来の飲料用容器にペルチェ素子により加熱または冷却された空気を吹き付ける方式は空気を循環させる必要があり飲料用容器が小さい、または、形状が異なる飲料用容器においては、外気が侵入し易く効率良く保温することが困難であった。
【０００４】本発明は上述のような課題を解決するためになされたものであり、飲料用容器の形状およびサイズに制限されず、冷却・加熱器に蓋をしなくとも冷却・加熱を可能とする飲料用容器の電子冷却・加熱器を提供することを目的とする。
【０００５】
【課題を解決するための手段】上述の目的を達成するために、本発明は以下６項の手段により課題を解決した。
【０００６】請求項１の発明は、冷却・加熱プレート１と伝熱プレート２からなるケース９と、飲料用容器４との間に、内側の袋内に飲料用容器４を挿入できる構造をしたプラスチックフィルムによる二重構造の袋で、その袋と袋の空隙の一部に空気が入らないように液状またはゲル状の熱伝達物質５を密封し伝熱袋３とし、伝熱袋３が冷却・加熱プレート１、伝熱プレート２と飲料用容器４に接触する構造に加え、伝熱袋３をケース９との勘合部で伝熱袋固定枠１１により着脱自在の構造とするものである。
【０００７】請求項２の発明は、請求項１の熱伝達物質５の中に粉末状の金属１２を混ぜることにより伝熱袋３の熱伝導性を向上させるものである。
【０００８】請求項３の発明は、請求項１の熱伝達物質５の中に金属の短冊状板１３を入れることにより伝熱袋３の熱伝導性を向上させるものである。
【０００９】請求項４の発明は、伝熱袋３をアルミニウム等の金属をラミネートすることによりケース９と飲料用容器４との熱伝導性を増加させ、飲料用容器４の挿抜時の耐摩耗性を向上させ、かつ、伝熱袋３からの熱伝達物質５の透過を防止するものである。
【００１０】請求項５の発明は、伝熱袋３の中にケース９の内側形状に倣い、かつ袋内の熱伝達物質５が容易に移動できるように、多数の穴を持つ補強ケース１４を有することにより飲料用容器４が小さい場合に対応して熱伝達性能を向上させる。
【００１１】請求項６の発明は冷却・加熱プレート１と伝熱プレート２からなるケース９との間に伝熱袋３を入れることにより外気の侵入を低減させ蓋を不要とする構造の電子冷却・加熱器。
【００１２】
【発明の実施の形態】以下、本発明の実施の形態について図面を参照しながら詳細に説明する。
【００１３】図１は本発明の電子冷却・加熱器の一実施形態の概略構成を示す図である。
【００１４】本実施形態の電子冷却・加熱器は図１に示すように冷却・加熱プレート１と伝熱プレート２からなるケース９内にプラスチックフィルムで作られた二重構造の袋で、その袋と袋の空隙の一部に空気が入らないように水または腐敗防止として塩水等の液体またはゲル状の熱伝達物質５を密封し対流と伝熱による熱伝達を目的とした伝熱袋３を入れ、伝熱袋３の中に飲料用容器４を入れることによって、伝熱袋３が冷却・加熱プレート１、伝熱プレート２と飲料用容器４に接触する構造となっている。
【００１５】図２は、伝熱袋３の中に、粉末状の金属１２を入れ熱伝導性を向上させる場合の例である。
【００１６】図３は、伝熱袋３の中に、金属性短冊状板を入れ熱伝導性を向上させる場合の例である。
【００１７】図４は伝熱袋３を、清掃、洗浄や大幅な飲料用容器４の形状変更に対応するための着脱可能にするために、ケース９との勘合部で着脱自在に伝熱袋固定枠１１で固定する構造の例である。
【００１８】図５は伝熱袋３の中にケース９の内側形状に倣い、かつ袋内の熱伝達物質５が容易に移動できるように、多数の穴を持った補強ケース１４を有する構造の図であり飲料用容器４が小さい場合に対応して熱伝達性能を向上させるものである。
【００１９】
【発明の効果】以上説明したように、本発明に係る電子冷却・加熱器によれば、飲料用容器４と冷却・加熱プレート１および伝熱プレート２の間の熱伝達が、飲料用容器４の形状が円筒形や角柱形などの形状の異なる飲料用容器４でも同等の熱伝導性で冷却・保温・加熱ができる。
【図面の簡単な説明】
【図１】本発明の電子冷却・加熱器の概略構成を示す図である。
【図２】熱伝達物質５の中に、粉末状の金属１２を混ぜる場合の例
【図３】熱伝達物質５の中に、金属性短冊状板を入れる場合の例
【図４】伝熱袋３を、伝熱袋固定枠１１にて着脱自在にする構造の例
【図５】伝熱袋３の中に多数の穴を持った補強ケース１４を有する構造の例
【符号の説明】
１    冷却・加熱プレート
２    伝熱プレート
３    伝熱袋
４    飲料用容器
５    熱伝達物質
６    ヒートシンク
７    ファンモータ
８    ペルチェ素子
９    ケース
１０  断熱材
１１  伝熱袋固定枠
１２  粉末状の金属
１３  金属の短冊状板
１４  補強ケース
１５  伝熱袋固定枠用ネジ
【図１】
2004212029.tif 000003
【図２】
2004212029.tif 000004
【図３】
2004212029.tif 000005
【図４】
2004212029.tif 000006
【図５】
2004212029.tif 000007